(57)【特許請求の範囲】
【請求項１】
透明電極・面発光体・金属電極の順で透明基板上に膜層を形成し、上記２つの電極に所定の電圧を印加することによって発光する画像読み取り装置の光源において、
R （赤）・G(グリーン) ・B （ブルー）の各色に対応する面発光体を主走査方向に繰り返し配列した複数の面発光体行を、互いの主走査方向の位相が異なるように副走査方向に配列したことを特徴とする画像読み取り装置の光源。
【請求項２】
上記互いの主走査方向の位相が、面発光体一色分だけ異なる請求項１に記載の画像読み取り装置の光源。
【請求項３】
画像読み取り方式としてシートフィード方式を採用する請求項２に記載の画像読み取り装置の光源。
【請求項４】
上記互いの主走査方向の位相が、面発光体半色分だけ異なる請求項１に記載の画像読み取り装置の光源。
【請求項５】
画像読み取り方式としてフラットベット方式を採用する請求項４に記載の画像読み取り装置の光源。
【請求項６】
透明電極・面発光体・金属電極の順で透明基板上に膜層を形成し、上記２つの電極に所定の電圧を印加することによって発光する画像読み取り装置の光源において、
R （赤）・G(グリーン) ・B （ブルー）の各色に対応する面発光体を平行四辺形に形成して主走査方向に繰り返し配列したことを特徴とする画像読み取り装置の光源。
【請求項７】
隣り合う同色の面発光体の一部が副走査方向でオーバーラップする請求項６に記載の画像読み取り装置の光源。
【請求項８】
目的の焦点深度をＤとし、また、光源の中心と読み取り位置とを結ぶ線分が原稿面となす角度をθとしたとき、副走査方向における台形状の照度分布の上辺長さが２Ｄ／ｔａｎθ（θ＝５５°）以上２Ｄ／ｔａｎθ（θ＝４０°）以下となるように、副走査方向における上記面発光体の幅を決定した請求項１または６に記載の画像読み取り装置の光源。
【発明の詳細な説明】
【０００１】
【発明の属する技術分野】
本発明は、画像読み取り装置の光源に関する。
【０００２】
【従来の技術】
複写機やスキャナ、更にはプリンタやファクシミリ等の機能を兼ね備えたマルチファンクションプリンタは、原稿面に描かれた画像を光学的に読み取る画像読み取り装置を備えている。
【０００３】
上記画像読み取り装置としては縮小光学方式（縮小ＣＣＤ方式）がよく知られているが、この縮小光学方式には、レンズの焦点深度を大きくとることによって原稿台から原稿が浮いた状態でも鮮明な画像を得ることができるという利点がある一方、装置が大型になるという欠点があった。そこで、装置の小型化・薄型化を配慮するときは、通常、図１８に示すように、等倍正立で原稿からの情報をセンサ１０８に導く密着方式を用いる。
【０００４】
すなわち、原稿面１０６の上方に、２つのLED アレイ１１２を左右対称に所定の傾斜をつけて配置する。この２つのLED アレイ１１２の中間上方位置にロッドレンズアレイ１２１を配置する。このロッドレンズアレイ１２１によって、上記原稿面１０６に照射された光を受ける。
【０００５】
ここで、上記LED アレイ１１２は、図１９に示すように、多数のLED 素子１２５を基板１２４上に配列してなる。また、上記ロッドレンズアレイ１２１は、図２０に示すように、円柱形状のロッドレンズ１２２を所定数隣接させて配列し、基板１２４で挟み込んだ構成になっている。
【０００６】
このような密着方式を用いると、原稿面１０６とロッドレンズ１２２との距離を小さくできるので装置全体をかなり小さくすることができる。
【０００７】
【発明が解決しようとする課題】
ところで、装置の小型化を進めるには光源をできるだけ原稿面に近接配置することも重要である。しかしながら、上記従来のLED アレイは点光源の集合であるため、この光源と原稿面とがある程度の距離を保たないと照度の均一性を確保できない。すなわち、上記従来のLED アレイを用いて装置の小型化を進めるには限度があった。
【０００８】
そこで、本願出願人は、以下に説明するエレクトロルミネッセンス膜を面発光光源として用いることを特願2000-217561号等で提案している。
【０００９】
すなわち、図２１に示すように、主走査方向に長いガラスあるいは透明樹脂等の透明基板１０１上に透明電極膜１０３を形成し、その上面に光媒体としてのエレクトロルミネッセンス膜１００を形成し、更に、その上面に金属電極１０２を積層する。また、このような面発光光源をカラーで実現する場合は、主走査方向の照度を均一にする必要上、図２２に示すように、R （赤）・G(グリーン) ・B （ブルー）の各色に対応する等幅のエレクトロルミネッセンス膜１００r ・１００ｇ・１００ｂを副走査方向に形成する。
【００１０】
図２３に示すように、２つの面発光光源５を相互に所定間隔を保って原稿９の上方に左右対称に配置する。これによって、原稿９に照射された光は、２つの面発光光源５の中間上方位置に配置したレンズ１４を介してセンサ１に導かれる。
【００１１】
面発光光源５を読み取り位置Ｐａに近づけても、この読み取り位置Ｐａにおいて均一な照度を得ることができる。すなわち、上記従来のLED アレイに代えて、本出願人が提案する面発光光源５を採用すれば、装置の小型化を進めることができる。
【００１２】
しかしながら、上記エレクトロルミネッセンス膜（面発光体）１００r ・１００ｇ・１００ｂを採用した面発光光源によると、主走査方向の照度分布は均一になるものの、副走査方向の照度分布は均一にならない。すなわち、副走査方向においては、ＲＧＢ各色に対応する面発光体１００r ・１００ｇ・１００ｂが所定間隔に現れることになるので、副走査方向におけるＲＧＢ各色の照度分布は、この間隔を１周期とした波形になってしまう。
【００１３】
上記した課題を解決するには、図２４に示すように、ＲＧＢ各色に対応する等幅の面発光体１００r ・１００ｇ・１００ｂを主走査方向に繰り返し配列すればよい。このようにすれば、副走査方向においては、ＲＧＢ各色に対応する面発光体１００r ・１００ｇ・１００ｂが必ず１つ現れることになるので、副走査方向におけるＲＧＢ各色の照度分布を均一にすることができる。
【００１４】
しかしながら、このような面発光光源によると、副走査方向の照度分布は均一になるものの、主走査方向の照度分布は均一にならない。すなわち、主走査方向においては、ＲＧＢ各色に対応する面発光体１００r ・１００ｇ・１００ｂが所定間隔に現れることになるので、主走査方向におけるＲＧＢ各色の照度分布は、この間隔を１周期とした波形になってしまう。
【００１５】
本発明は、上記従来の事情に基づいて提案されたものであって、主走査方向及び副走査方向の照度分布が均一な画像読み取り装置の光源を提供することを目的とする。
【００１６】
【課題を解決するための手段】
本発明は、上記目的を達成するために以下の手段を採用している。
【００１７】
すなわち、本発明は、透明電極・面発光体・金属電極の順で透明基板上に膜層を形成し、上記２つの電極に所定の電圧を印加することによって発光する画像読み取り装置の光源を前提としている。そして、R （赤）・G(グリーン) ・B （ブルー）の各色に対応する面発光体を主走査方向に繰り返し配列した複数の面発光体行を、互いの主走査方向の位相が異なるように副走査方向に配列したことを特徴とする。このようにすれば、主走査方向及び副走査方向の照度分布を均一にすることができる。
【００１８】
【発明の実施の形態】
以下、本発明の実施の形態を図面にしたがって詳細に説明する。なお、以下の説明では、１発光領域を構成する面発光体を「発光素子」という場合がある。
（実施の形態１）
本発明は、上記従来と同様、透明電極・面発光体・金属電極の順で透明基板上に膜層を形成し、上記２つの電極に所定の電圧を印加することによって発光する画像読み取り装置の光源を前提としている。ここでは、図２３で示したように、２つの光源５を備える構成を前提として説明するが、本発明はこれに限定されるものではない。すなわち、２つの光源を備える構成だけでなく、そのうちの一方の光源のみ備える構成も本発明の適用範囲である。
【００１９】
以下、本発明の構成を上記従来と異なる点のみ説明する。
【００２０】
まず、本発明では、図１（ａ）に示すように、互いの主走査方向の位相が面発光体一色分だけ異なるように、複数の面発光体行Ｇ１を副走査方向に配列した。この面発光体行Ｇ１とは、ＲＧＢ各色に対応する等幅・等長さの面発光体５ｒ・５ｇ・５ｂを主走査方向に繰り返し配列した１行をいう。
【００２１】
このようにすれば、主走査方向のどの位相においても、ＲＧＢ各色に対応する面発光体５ｒ・５ｇ・５ｂが必ず現れることになるので、主走査方向におけるＲＧＢ各色の照度分布を均一にすることができる。また、副走査方向のどの位相においても、ＲＧＢ各色に対応する面発光体５ｒ・５ｇ・５ｂが必ず現れることになるので、副走査方向におけるＲＧＢ各色の照度分布も均一にすることができる。
【００２２】
あるいは、図１（ｂ）に示すように、互いの主走査方向の位相が面発光体半色分だけ異なるように、複数の面発光体行Ｇ１を副走査方向に配列するようにしてもよい。もっとも、このような構成にすると、図１（ａ）に示した光源を採用した構成に比べて、ＲＧＢ各色の主走査方向の照度分布を均一にするという面では効果がいくらか小さくなるが、副走査方向の照度ピーク位置が読み取り位置近傍に現れるというメリットがある。なお、この図に示すリードＲｒ・Ｒｇ・Ｒｂはそれぞれ面発光体５ｒ・５ｇ・５ｂ用の透明電極と接続されており、また、リードＲｃは金属電極（共通電極）と接続されている。
【００２３】
すなわち、図１（ａ）に示す面発光光源５を採用した場合は、副走査方向の照度ピーク位置が読み取り位置近傍に現れない。この点をより詳しく説明するため、図２に示すように、相互に異なる主走査方向の位相（位相Ｚ１、位相Ｚ２、及び位相Ｚ３）について、その副走査方向の照度分布を図３に示す。
【００２４】
まず、位相Ｚ１の副走査方向には面発光体５ｒ１が存在するので、この面発光体５ｒ１から発せられる光によって照度分布Ｙ１が得られる。この照度分布Ｙ１の照度ピーク位置（すなわち、位相Ｚ１における副走査方向の照度ピーク位置）は、当該図面上、読み取り位置Ｐａの左方に現れる。
【００２５】
また、位相Ｚ２の副走査方向には面発光体５ｒ２が存在するので、この面発光体５ｒ２から発せられる光によって照度分布Ｙ２が得られる。この照度分布Ｙ２の照度ピーク位置（すなわち、位相Ｚ２における副走査方向の照度ピーク位置）は、当該図面上、読み取り位置Ｐａと一致する。
【００２６】
さらに、位相Ｚ３の副走査方向には面発光体５ｒ３が存在するので、この面発光体５ｒ３から発せられる光によって照度分布Ｙ３が得られる。この照度分布Ｙ３の照度ピーク位置（すなわち、位相Ｚ３における副走査方向の照度ピーク位置）は、当該図面上、読み取り位置Ｐａの右方に現れる。
【００２７】
それに対して、図１（ｂ）に示す面発光光源５を採用した場合、副走査方向の照度ピーク位置は読み取り位置近傍に現れる。この点をより詳しく説明するため、図４に示すように、相互に異なる主走査方向の位相（位相Ｚ４及び位相Ｚ５）について、その副走査方向の照度分布を図５に示す。
【００２８】
まず、位相Ｚ４の副走査方向には面発光体５ｒ１及び５ｒ２が存在するので、この面発光体５ｒ１及び５ｒ２から発せられる光によって照度分布Ｙ１及びＹ２が得られる。この照度分布Ｙ１の照度ピーク位置は、当該図面上、読み取り位置Ｐａの左方に現れるものの、照度分布Ｙ２の照度ピーク位置は、当該図面上、読み取り位置Ｐａと一致する。
【００２９】
したがって、この照度分布Ｙ１とＹ２とを合成した照度分布の照度ピーク位置（すなわち、位相Ｚ４における副走査方向の照度ピーク位置）は、読み取り位置Ｐａより若干左方に現れることになる。
【００３０】
また、位相Ｚ５の副走査方向には面発光体５ｒ２及び５ｒ３が存在するので、この面発光体５ｒ２及び５ｒ３から発せられる光によって照度分布Ｙ２及びＹ３が得られる。この照度分布Ｙ３の照度ピーク位置は、当該図面上、読み取り位置Ｐａの右方に現れるものの、照度分布Ｙ２の照度ピーク位置は、当該図面上、読み取り位置Ｐａと一致する。
【００３１】
したがって、この照度分布Ｙ２とＹ３とを合成した照度分布の照度ピーク位置（すなわち、位相Ｚ５における副走査方向の照度ピーク位置）は、読み取り位置Ｐａより若干右方に現れることになる。
【００３２】
図１（ｂ）に示す面発光光源５を採用した場合に、副走査方向の照度ピーク位置が読み取り位置近傍に現れるという現象は、上記主走査方向の位相Ｚ４又はＺ５だけでなく、その他の主走査方向の各位相においても同様に現れる。
【００３３】
したがって、図１（ｂ）に示す面発光光源５を採用した場合は、図６（ｂ）に示すように、原稿が浮き上がっていない時の照度ばらつき６１と、原稿が浮き上がっている時の照度ばらつき６２とで、その特性はほとんど変わらない。
【００３４】
それに対して、図１（ａ）に示す面発光光源５を採用した場合は、図６（ａ）に示すように、原稿が浮き上がっていない時の照度ばらつき６１と、原稿が浮き上がっている時の照度ばらつき６２とでは、その特性が全く異なる。
【００３５】
ところで、センサ１によって出力される画像の照度ばらつきを主走査方向で一定にするための補正を「シェーディング補正」という。すなわち、最初に白紙を読み取って主走査方向の照度ばらつきを特定しておき、以降、この照度ばらつきを考慮して画像をシェーディング補正すれば、照度ばらつきのない画像を得ることができる。
【００３６】
上記したように、図１（ｂ）に示す面発光光源５を採用した場合は、原稿が浮き上がっている時と浮き上がっていない時の照度ばらつきの特性はほとんど変わらない。したがって、この場合は、最初に特定しておいた照度ばらつきがそのまま有効であるため、シェーディング補正をすることができる。そこで、画像読み取り方式としてフラットベット方式（後述する）を採用する場合は、有効にシェーディング補正をすることができるように、図１（ｂ）に示す面発光光源５を採用するのが妥当である。
【００３７】
それに対して、図１（ａ）に示す面発光光源５を採用した場合は、原稿が浮き上がっている時と浮き上がっていない時の照度ばらつきの特性が全く異なる。したがって、この場合は、最初に特定しておいた照度ばらつきが有効でなくなるため、シェーディング補正をすることができない。そこで、画像読み取り方式としてシートフィード方式（後述する）を採用する場合は、主走査方向の照度分布が均一になるように、図１（ａ）に示す面発光光源５を採用するのが妥当である。
【００３８】
このように、画像読み取り方式によって、図１（ａ）に示す面発光光源５と図１（ｂ）に示す面発光光源５のいずれかを選択的に採用するのが好ましい。もっとも、シートフィード方式を採用するのに図１（ｂ）に示す面発光光源５を採用してもかまわないし、フラットベット方式を採用するのに図１（ａ）に示す面発光光源５を採用してもかまわない。
【００３９】
なお、上記シートフィード方式とは、原稿をローラーでイメージセンサヘッド側へ移動させることによって、その原稿面に描かれた画像を読み取る方式をいう。この方式を採用する場合は、原稿の浮き上がりを考慮する必要がない。
【００４０】
一方、上記フラットベット方式とは、原稿をガラス台に固定し、その下をイメージセンサヘッドが移動することによって、原稿面に描かれた画像を読み取る方式をいう。この方式を採用すると、本や雑誌のような厚みのある原稿を扱うことができるというメリットがあるものの、原稿の浮き上がりを考慮しなければならない。
（実施の形態２）
以下、本実施の形態を上記実施の形態１と異なる点のみ説明する。
【００４１】
すなわち、本実施の形態では、図７に示すように、ＲＧＢ各色に対応する等幅・等長さの面発光体５ｒ・５ｇ・５ｂを平行四辺形に形成して主走査方向に繰り返し配列した。
【００４２】
このような構成によっても、図８に示すように、隣り合う同色の面発光体（ここでは赤色の面発光体５ｒ）が副走査方向でオーバーラップするようにしておけば、照度ばらつき１０％以内を実現できることがわかった。
【００４３】
特に、図９に示すように、ある面発光体の左上頂点Ａ0が、この面発光体と隣り合う同色の面発光体の右下頂点Ｃ1よりも右に位置する場合、照度ばらつき５％以内を実現できることがわかった。
【００４４】
以上のように、ＲＧＢ各色に対応する等幅・等長さの面発光体５ｒ・５ｇ・５ｂを平行四辺形に形成して主走査方向に繰り返し配列する構成によっても、上記実施の形態１とほとんど同じ効果を得ることができる。
（実施の形態３）
ところで、目的の焦点深度Ｄを実現するためには、原稿が浮き上がっても鮮明な画像を得る必要がある。そして、原稿が浮き上がっても鮮明な画像を得るためには、以下に説明するように、副走査方向の照度分布を台形状にする必要がある。
【００４５】
すなわち、図１０は、原稿が浮き上がっている場合（図面上、下方向が原稿の浮き上がり方向である）に得られる放物線状の照度分布Ｙ＿２と、原稿が浮き上がっていない場合（すなわち、原稿がガラス台と接している場合）に得られる放物線状の照度分布Ｙ＿１とを表している。この図に示すように、副走査方向の照度分布を放物線状にした場合は、原稿が浮き上がると読み取り位置Ｐａにおける照度が低くなるため、鮮明な画像を得ることができない。
【００４６】
ここでは、説明の都合上、１つの面発光光源５によって得られる照度分布について説明したが、２つの面発光光源５によって得られる照度分布についても同じことがいえる。すなわち、２つの面発光光源５を備えた構成では、図１１に示すように、それぞれの面発光光源５によって得られる照度分布が合成されるだけである。
【００４７】
それに対して、図１２は、原稿が浮き上がっている場合に得られる台形状の照度分布Ｑ＿２と、原稿が浮き上がっていない場合（すなわち、原稿がガラス台と接している場合）に得られる台形状の照度分布Ｑ＿１とを表している。この図に示すように、副走査方向の照度分布を台形状にした場合は、原稿が浮き上がっても読み取り位置Ｐａにおける照度が低くならないため、鮮明な画像を得ることができる。
【００４８】
副走査方向の照度分布を台形状にするには、副走査方向における発光素子の幅を広くするのが簡単である。しかしながら、発光素子の幅を広くすると、コストが上がるだけでなく、装置の大型化を招く。
【００４９】
そこで、本実施の形態では、以下の手法を採用している。
【００５０】
図１３は、原稿が浮き上がっている場合に得られる台形状の照度分布Ｑ＿２と、原稿が浮き上がっていない場合に得られる台形状の照度分布Ｑ＿１とを表している。
【００５１】
ここで、副走査方向における台形状の照度分布の上辺長さＷは、次式によって求まる値以上にしておく。なお、この式に示される「θ」とは、面発光光源５の中心Ｏと読み取り位置Ｐａとを結ぶ線分が原稿面となす角度をいう。
【００５２】
【数１】
0003922635.tif 000002
この式は、図１３に太線で示される直角三角形Ｆに着目すれば、容易に導き出すことができる。すなわち、この直角三角形Ｆの底辺の長さはＷ／２、また高さはＤであるから、ｔａｎθ＝Ｄ／（Ｗ／２）、すなわち数１が求まる。
【００５３】
このように、上辺長さＷが２Ｄ／ｔａｎθ以上あれば、原稿が浮き上がっている場合と浮き上がっていない場合の読み取り位置における照度は等しい。そこで、上辺長さＷが２Ｄ／ｔａｎθ以上となるように、発光素子の幅を広くすることになる。しかしながら、既に説明したように、発光素子の幅を広くすると種々の不具合があるので、本発明では、この上辺長さＷを最適化することにした。
【００５４】
すなわち、詳細については後述するが、上記角度θは、４０°から５５°の範囲に限定するのが好ましい。したがって、本発明では、上辺長さＷが次式の条件を満たすように、発光素子の幅を決定することにした。このようにすれば、発光素子の幅を広くすることによって生じる種々の不具合を最小限に抑えつつ、原稿が浮き上がっても鮮明な画像を得ることが可能である。
【００５５】
【数２】
0003922635.tif 000003
ここでは、上辺長さＷを最適化するために、発光素子の幅を変更することとしているが、本発明はこれに限定されるものではない。たとえば、上辺長さＷの値は、光源の中心と読み取り位置との間の距離によっても変化するので、この距離を変更することで上辺長さＷを最適化してもかまわない。
【００５６】
なお、一般的な複写機においては、およそ２ｍｍの焦点深度Ｄが必要である。このような複写機に本発明を適用した場合、上記角度θを４０°に設定するとともに、光源の中心と読み取り位置との間の距離を３ｍｍに設定したときは、およそ４ｍｍの上辺長さＷが必要であることがわかった。また、この上辺長さＷを実現するためには、およそ３ｍｍ幅の発光素子が必要であることがわかった。
【００５７】
以下、上記角度θを４０°から５５°の範囲に限定することにした根拠を示す。
【００５８】
ここでは、面発光光源の位置と角度とを種々変化させて、そのときの原稿面照度とＭＴＦ（modulation transfer function）値とを測定し、評価した。なお、ＭＴＦ値とはセンサの分解能をいう。
【００５９】
まず、長さ１６０ｍｍ・幅４ｍｍのモノクロ面発光光源を長手方向（主走査方向）に２つ繋げてＡ３サイズとし、図１４に示すように、この２本のＡ３サイズ光源５をレンズ１４の両側にそれぞれ取り付ける。そして、面発光光源５の中心Ｏと読み取り位置Ｐａとを結ぶ線分Ｌの長さｒを５ｍｍに固定した状態で、この線分Ｌと原稿面９とのなす角度θを２０°から７０°まで変化させて、そのときの原稿面照度とＭＴＦ値とを測定した。
【００６０】
その結果、１６００ｌｘ以上の原稿面照度が得られるのは、図１５（ａ）に示すように角度θが３０°以上の場合であり、７５％以上のＭＴＦ値が得られるのは、図１５（ｂ）に示すように角度θが６０°以下の場合であることが判った。すなわち、角度θが３０°から６０°の場合が好ましい範囲といえる。
【００６１】
また、２０００ｌｘ以上の原稿面照度が得られるのは、図１５（ａ）に示すように角度θが４０°以上の場合であり、８０％以上のＭＴＦ値が得られるのは、図１５（ｂ）に示すように角度θが５５°以下の場合であることが判った。すなわち、角度θが４０°から５５°の場合が特に好ましい範囲といえる。
【００６２】
以上が、上記角度θを４０°から５５°の範囲に限定することにした根拠である。
【００６３】
なお、ここではモノクロ面発光光源を例示したが、カラー面発光光源を用いた場合も同様の結果が得られた。また、幅４ｍｍの面発光光源を用いるとともに線分Ｌの長さｒを５ｍｍに固定することにしているが、その他の条件で測定した場合も、角度θが３０°から６０°の場合が好ましい範囲であり、角度θが４０°から５５°の場合が特に好ましい範囲であることがわかった。
（実施の形態４）
ところで、発光素子を駆動するには、図１６に示すように、発光素子Ｌそれぞれを個々の定電流源Ｍによって駆動するのが簡単であるが、このような構成によるとコストが上がってしまう。すなわち、コストの面を考えると、複数の発光素子を１つの定電流源によって駆動する構成を採用するのが好ましい。
【００６４】
しかしながら、単純に複数の発光素子を１つの定電流源によって駆動する構成を採用すると、光源の長寿命化という効果を損ねてしまう。ある発光素子のどこか一点にでも膜厚が薄い等の欠陥があると、他の発光素子に流れるべき電流が当該発光素子上の一点に集まって、ここから膜が焼き切れてしまうからである。
【００６５】
そこで、本発明では、コストの上昇を招くことなく且つ光源の長寿命化という効果を損ねないようにするために、以下の構成によって発光素子を駆動するようにした。
【００６６】
すなわち、図１７（ａ）に示すように、抵抗体Ｎを介して複数の発光素子Ｌと１つの定電流源Ｍとを電気的に接続する。この抵抗体Ｎの抵抗値は特に限定されるものではないが、発光素子Ｌの抵抗値より遥かに大きな値としておく。
【００６７】
このようにすれば、ある発光素子のどこか一点にでも膜厚が薄い等の欠陥がある場合でも、抵抗体と発光素子との抵抗値の総和には殆ど影響がないので、他の発光素子に流れるべき電流が当該発光素子上の一点に集まることはない。
【００６８】
あるいは、図１７（ｂ）に示すように、複数の抵抗体Ｎと発光素子Ｌとを接続して、それぞれの両端に所定の電圧を印加すべく定電圧源Ｏを接続するようにしてもよい。このような構成によっても、抵抗体Ｎの抵抗値を発光素子Ｌの抵抗値より遥かに大きな値としておけば、上記と同様の効果を得ることができる。
【００６９】
以上のように、本発明では、コストの上昇を招くことなく且つ光源の長寿命化という効果を損ねない構成で、発光素子を駆動するようにしている。
【００７０】
なお、ここでは、複数の発光素子と１つの定電流源とを接続するとだけ説明したが、１つの定電流源と接続する発光素子の数は特に限定されるものではない。すなわち、全発光素子を１つの定電流源と接続するようにしてもよいし、あるいは、RGB各色に対応する発光素子ごとに１つの定電流源を接続するようにしてもよいし、さらには、図１に示す面発光体行G1ごとに１つの定電流源を接続するようにしてもよい。もちろん、１つの定電圧源と接続する発光素子の数についても同じことがいえる。
【００７１】
また、上記の説明では、画像読み取り装置の光源を例示しているが、プリントヘッドのような画像書き込み装置の光源に対して本発明を適用するようにしてもよい。すなわち、透明電極・面発光体・金属電極の順で透明基板上に膜層を形成し、上記２つの電極に所定の電圧を印加することによって発光する光源である以上、本発明を適用することができる。
【００７２】
【発明の効果】
以上のように、本発明によると、ＲＧＢ各色に対応する面発光体を主走査方向に繰り返し配列した複数の面発光体行を、互いの主走査方向の位相が異なるように副走査方向に配列したので、主走査方向及び副走査方向の照度分布を均一にすることができる。
【図面の簡単な説明】
【図１】本発明を適用したカラー面発光光源の構成図
【図２】位相Ｚ１、位相Ｚ２、及び位相Ｚ３の説明図
【図３】位相Ｚ１、位相Ｚ２、及び位相Ｚ３における副走査方向の照度分布を示す図
【図４】位相Ｚ４及び位相Ｚ５の説明図
【図５】位相Ｚ４及び位相Ｚ５における副走査方向の照度分布を示す図
【図６】照度ばらつきの説明図
【図７】本発明を適用したカラー面発光光源の構成図
【図８】隣り合う同色の面発光体同士が副走査方向でオーバーラップする様子を表した図
【図９】隣り合う同色の面発光体同士が副走査方向でオーバーラップする様子を表した図
【図１０】放物線状の照度分布を説明するための図
【図１１】２つの面発光光源によって得られる照度分布を説明するための図
【図１２】台形状の照度分布を説明するための図
【図１３】上辺長さを説明するための図
【図１４】面発光光源の配置説明図
【図１５】原稿面照度とＭＴＦ値の測定結果を示す図
【図１６】発光素子を駆動する構成を示す図
【図１７】発光素子を駆動する構成を示す図
【図１８】従来の画像読み取り装置の構成図
【図１９】従来の画像読み取り装置が備える光源の斜視図
【図２０】従来の画像読み取り装置が備えるロッドレンズアレイの斜視図
【図２１】エレクトロルミネッセンス膜を用いたモノクロ面発光光源の斜視図
【図２２】エレクトロルミネッセンス膜を用いたカラー面発光光源の説明図
【図２３】面発光光源を採用した画像読み取り装置の構成図
【図２４】エレクトロルミネッセンス膜を用いたカラー面発光光源の説明図
【符号の説明】
５  面発光光源
１００  エレクトロルミネッセンス膜
１０１  透明基板
１０２  金属電極
１０３  透明電極膜
【図１】
0003922635.tif 000004
【図２】
0003922635.tif 000005
【図３】
0003922635.tif 000006
【図４】
0003922635.tif 000007
【図５】
0003922635.tif 000008
【図６】
0003922635.tif 000009
【図７】
0003922635.tif 000010
【図８】
0003922635.tif 000011
【図９】
0003922635.tif 000012
【図１０】
0003922635.tif 000013
【図１１】
0003922635.tif 000014
【図１２】
0003922635.tif 000015
【図１３】
0003922635.tif 000016
【図１４】
0003922635.tif 000017
【図１５】
0003922635.tif 000018
【図１６】
0003922635.tif 000019
【図１７】
0003922635.tif 000020
【図１８】
0003922635.tif 000021
【図１９】
0003922635.tif 000022
【図２０】
0003922635.tif 000023
【図２１】
0003922635.tif 000024
【図２２】
0003922635.tif 000025
【図２３】
0003922635.tif 000026
【図２４】
0003922635.tif 000027